(57)【要約】【課題】  不正行為を防止することのできる遊技機の提供を目的とする。【解決手段】  スピーカ４０Ｒと、スピーカ４０Ｒを設置する筐体２と、放音部４１を覆い、筐体２の外部と内部とを遮断するように筐体２の内部に設けられたスピーカ収納部５０と、筐体２の外部に設けられ、放音部４１を覆うスピーカカバーであって、弾性を有する係合部３４、３５を有するスピーカカバー３０Ｒとを備え、筐体２には係合部３４、３５を係合する孔であってスピーカカバー３０Ｒが取り付けられていないときには筐体２の外部と内部とを連通させる係合孔７４、７５が形成され、スピーカカバー３０Ｒは係合孔７４、７５に係合部３４、３５が弾性を利用して係合することによって筐体２に取り付けられるように構成され、筐体２内部に、係合の解除を規制する規制部５６、５７を備える。【選択図】  図２
2005253621.tif 000002
【特許請求の範囲】
【請求項１】
遊技に伴う演出音を発するスピーカと；
前記スピーカの放音部が内部と外部とを隔てるように前記スピーカを設置するスピーカ設置孔が形成され、前記スピーカを設置する筐体と；
前記放音部を覆い、前記筐体の外部と内部とを遮断するように前記筐体の内部に設けられたスピーカ収納部と；
前記筐体の外部に設けられ、前記放音部を覆うスピーカカバーであって、弾性を有する係合部を有するスピーカカバーとを備え；
前記筐体には前記係合部を係合する孔であって前記スピーカカバーが取り付けられていないときには前記筐体の外部と内部とを連通させる係合孔が形成され、前記スピーカカバーは前記係合孔に前記係合部が前記弾性を利用して係合することによって前記筐体に取り付けられるように構成され；
前記筐体内部に、前記係合の解除を規制する規制部を備える；
遊技機。
【請求項２】
前記規制部は前記スピーカ収納部の一部として形成される；
請求項１に記載の遊技機。
【請求項３】
前記スピーカ収納部は中空の箱形に形成され、前記放音部の後方を密閉するように構成された；
請求項１又は請求項２に記載の遊技機。
【請求項４】
前記筐体内部で、前記スピーカの近傍に配置され、遊技者に対する利益付与率を複数段階に設定可能な設定変更部を備える；
請求項１乃至請求項３のいずれか１項に記載の遊技機。
【発明の詳細な説明】
【技術分野】
【０００１】
本発明は遊技機に関し、特に不正行為を防止することのできる遊技機に関するものである。
【背景技術】
【０００２】
従来から、遊技機、例えばスロットマシンでは、遊技状態に応じて様々な演出音が出音される。演出音を出音するスピーカは、筐体前面上部の配当表の左右に対で設けられたり、メダル払出口の側方に単独で設けられたりしている。このような遊技機では、例えば、スピーカ部分からの異物の侵入によりコーン紙等が破られて行われる種々の不正行為を防止するためにスピーカの裏側にエンクロージャを設けたものがあった（例えば、特許文献１参照。）。
【特許文献１】特開２００３−１８０９５９号公報  （段落００２４−段落００４２、第３図−第４図）
【０００３】
また、このような遊技機では、例えば、異物の侵入の防止、スピーカを損傷から保護、あるいは装飾のためにスピーカの前面にスピーカカバーを設けた遊技機があった。
【発明の開示】
【発明が解決しようとする課題】
【０００４】
しかしながら、上記のような遊技機では、例えば、ドライバ等の工具を用いてスピーカカバーを取り外し、取り外されたスピーカカバーの取付係合孔から異物を侵入させて不正行為が行われることがあった。
【０００５】
そこで本発明は、不正行為を防止することのできる遊技機の提供を目的とする。
【課題を解決するための手段】
【０００６】
上記目的を達成するために、請求項１に係る発明による遊技機は、例えば図２に示すように、遊技に伴う演出音を発するスピーカ４０Ｒと；スピーカ４０Ｒの放音部４１が内部と外部とを隔てるようにスピーカ４０Ｒを設置するスピーカ設置孔７１が形成され、スピーカ４０Ｒを設置する筐体２と；放音部４１を覆い、筐体２の外部と内部とを遮断するように筐体２の内部に設けられたスピーカ収納部５０と；筐体２の外部に設けられ、放音部４１を覆うスピーカカバーであって、弾性を有する係合部３４、３５を有するスピーカカバー３０Ｒとを備え；筐体２には係合部３４、３５を係合する孔であってスピーカカバー３０Ｒが取り付けられていないときには筐体２の外部と内部とを連通させる係合孔７４、７５が形成され、スピーカカバー３０Ｒは係合孔７４、７５に係合部３４、３５が弾性を利用して係合することによって筐体２に取り付けられるように構成され；筐体２内部に、係合の解除を規制する規制部５６、５７を備える。
【０００７】
このように構成すると、規制部は、係合部の弾性を利用した係合の解除を規制し、スピーカカバーが筐体から取り外されることを規制することができ、係合孔が筐体の外部と内部とを連通させることを防止するので、不正行為を防止することのできる遊技機を提供することができる。
【０００８】
また請求項２に記載のように、請求項１に記載の遊技機では、規制部５６、５７はスピーカ収納部５０の一部として形成してもよい。
【０００９】
このように構成すると、遊技機を構成する部品数を最小限にすることができるので、組立が単純で合理的な構成とすることができる。
【００１０】
また請求項３に記載のように、請求項１又は請求項２に記載の遊技機では、スピーカ収納部５０は中空の箱形に形成され、放音部４１の後方を密閉するように構成してもよい。
【００１１】
このように構成すると、スピーカは、エンクロージャに覆われて筐体内部で露出することがなく、スピーカ設置孔を介して筐体外部から侵入した異物は、スピーカ設置孔の形成部分とエンクロージャとの間に形成された１つの閉じた空間内に留められ、エンクロージャを越えて筐体内部に侵入することがない。
【００１２】
また請求項４に記載のように、請求項１乃至請求項３のいずれか１項に記載の遊技機では、筐体２内部で、スピーカ４０Ｒの近傍に配置され、遊技者に対する利益付与率を複数段階に設定可能な設定変更部６０を備えるように構成してもよい。
【００１３】
このように構成すると、利益付与率を複数段階に設定可能であるので、遊技に変化を与えられる遊技機でありながら、利益付与率の設定を不正の操作によって変更されるのを防止することができる遊技機とすることができる。
【発明の効果】
【００１４】
以上のように本発明によれば、不正行為を防止することのできる遊技機を提供することができる。
【発明を実施するための最良の形態】
【００１５】
以下、本発明の実施の形態を図示例と共に説明する。図１から図５は、発明を実施する形態の一例であって、図中、同一または類似の符号を付した部分は同一物または相当物を表わし、重複した説明は省略する。
【００１６】
図１は、本発明の実施の形態に係る遊技機１の外観を示す正面斜視図である。本発明に係る遊技機は、例えば、パチスロ遊技機、パチンコ機、その他遊技に伴う演出音を発するスピーカ４０Ｌ、４０Ｒを配設した遊技機に適用される。また、本発明に係る遊技機は、典型的には、遊技機筐体内に、遊技者に対する利益付与率を複数段階に設定可能な設定変更部としての設定スイッチ６０（図２参照）を配設した遊技機に好適に適用される。以下、代表的な遊技機としてパチスロ遊技機を例にとって説明を行う。この遊技機１は、コイン、メダル又はトークンなどの遊技媒体を用いて遊技する遊技機であるが、以下ではメダルを用いるものとして説明する。
【００１７】
遊技機１の全体を形成している筐体としてのキャビネット２の正面には、略垂直面としてのパネル表示部５ａが形成され、その中央には縦長矩形のリール表示窓４Ｌ、４Ｃ、４Ｒが横方向に順番に設けられている。キャビネット２の内部には、各々の外周面に複数種類の図柄、例えば不図示の“赤７図柄”、“青７図柄”、“ＢＡＲ図柄”、“ベル図柄”、“プラム図柄”、“Ｒｅｐｌａｙ図柄”及び“チェリー図柄”の図柄によって構成される図柄列（不図示）が描かれた３個の左リール３Ｌ、中リール３Ｃ、右リール３Ｒが回転自在に横一列に設けられている。各リールの図柄はリール表示窓４Ｌ、４Ｃ、４Ｒを通して遊技者に観察させることができる。各リールは、定速回転として例えば、毎分８０回転で回転するように構成するとよい。
【００１８】
パネル表示部５ａの背面には、上述した各リールの全面を覆いパネル表示部５ａとほぼ同程度の大きさで、大画面（例えば、１５インチ若しくは２０インチ形式）による演出表示等を行う液晶表示装置５が配設されている。さらに、パネル表示部５ａの左側には、パネル表示部５ｂが設けられており、当該パネル表示部５ｂには、遊技者による遊技の際に種々の情報を表示する各種表示部が設けられている。
【００１９】
リール表示窓４Ｌ、４Ｃ、４Ｒの下方には水平面の台座部１０が形成されており、台座部１０には遊技に関連する情報（例えば、入賞態様、リプレイ確率、内部当選告知のリール停止態様等）を印刷して表示することもできる。
【００２０】
台座部１０の右端部側には、遊技者がメダルを遊技機１内に投入するための遊技媒体投入口としてのメダル投入口２２が設けられ、左端部側には最大ＢＥＴボタン１３が設けられている。この最大ＢＥＴボタン１３が、１回のゲームに賭けることが可能な最大枚数のメダルが賭けられるように構成されている。最大ＢＥＴボタン１３の左側、パネル表示部５ｂの下方には、１−ＢＥＴボタン１１、２−ＢＥＴボタン１２がそれぞれ配設されている。１−ＢＥＴボタン１１の１回の押下操作により、クレジットされているメダルのうちの１枚がゲームに賭けられ、２−ＢＥＴボタン１２の１回の押下操作により、クレジットされているメダルのうちの２枚がゲームに賭けられ、これらのＢＥＴボタンを操作することで、次に説明する１つ又は複数の入賞ラインが有効化されるように構成されている。
【００２１】
リール表示窓４Ｌ、４Ｃ、４Ｒには、入賞ラインとして水平方向にトップライン、センターライン及びボトムライン、斜め方向にクロスダウンライン及びクロスアップラインが設けられている。これらの入賞ラインは、１−ＢＥＴボタン１１と、２−ＢＥＴボタン１２と、操作性の高い大きな最大ＢＥＴボタン１３のいずれかを押下操作すること、あるいは、メダル投入口２２にメダルを投入することにより、入賞ラインが、メダルを１枚ベットするならば１本、メダルを２枚ベットするならば３本、メダルを３枚ベットするならば５本有効化される。ここで、各入賞ラインは、役の入賞確率の増減に関してその成否を左右するように構成されている。
【００２２】
すなわち、所定の役（例えば、「ＢＢ」）に対応する一の図柄（例えば、“赤７図柄”）が有効化された入賞ラインに揃うことにより、例えば、ＢＥＴ数が“３”であればトップライン、センターライン、ボトムライン、クロスダウンライン、及びクロスアップラインの中の何れか１つの入賞ラインに揃う（並んで停止表示される）ことにより、“ＢＢ”の入賞が成立することとなる。本実施の形態では、１つのゲーム（例えば、単位遊技）は、全てのリールが停止したときに終了する。
【００２３】
ここで、ＢＢ、ＲＢとは以下のようなものである。現在主流の機種は、複数種類の入賞態様を有する。特に、ある役の入賞が成立したときは、１回のメダルの払出しに終わらず、所定時間、通常の状態よりも条件の良い遊技状態となる。このような役として、遊技者に相対的に大きい利益を与えるゲームを所定回数行える役と、遊技者に相対的に小さい利益を与えるゲームを所定回数行える役とがある。前者を「ビッグボーナス」と称し、以下「ＢＢ」と略記する。後者を「レギュラーボーナス」と称し、以下「ＲＢ」と略記する。
【００２４】
また、現在主流の機種においては、有効化された入賞ライン（以下「有効ライン」という）に沿って所定の図柄の組合せが並び、メダル、コイン等が払出される入賞が成立するためには、内部的な抽選処理により役に当選（以下「内部当選」という）し、且つその内部当選した役（以下「内部当選役」という）の入賞成立を示す図柄組合せを有効ラインに停止できるタイミングで遊技者が停止操作を行うことが要求される。つまり、いくら内部当選したとしても、遊技者の停止操作のタイミングが悪いと内部当選役の入賞を成立させることができない。すなわち、停止操作をタイミングよく行う技術が要求される（「目押し」といわれる技術介入性の比重が高い）。
【００２５】
台座部１０の前面部の右端部には、遊技者がゲームで獲得したメダルのクレジット／払出しを押しボタン操作で切り換えるＣ／Ｐスイッチ１４が設けられている。このＣ／Ｐスイッチ１４の切り換えにより、正面に配設されている表面に情報が描かれた化粧用パネル２４の下方に形成されたメダル払出口１５からメダルが払い出されるように構成されている。メダル払出口１５から払い出されるメダルは、メダル受け皿１６に貯留される。
【００２６】
また、台座部１０の前面部の左端部には、遊技者の操作により上記全リールを例えば下方向に図柄が流れるように回転させ、リール表示窓４Ｌ、４Ｃ、４Ｒ内での図柄の変動表示を開始させるスタートレバー６が所定の角度範囲で回動自在に取り付けられている。すなわち、スタートレバー６は、１回の操作により、自立的にニュートラルポジション（例えば、図示したように遊技者に対向して直立状態）に復帰する。
【００２７】
また、台座部１０の前面部の略中央、すなわち、Ｃ／Ｐスイッチ１４とスタートレバー６との間には、遊技者が手で操作し易い位置に、合計３個の左リール３Ｌ、中リール３Ｃ、右リール３Ｒの回転を任意に停止させる合計３個のリール停止ボタン７Ｌ、リール停止ボタン７Ｃ、及びリール停止ボタン７Ｒが設けられている。遊技者による各リール停止ボタン７Ｌ、７Ｃ、７Ｒの停止操作等により、所定の遊技結果、例えば小役入賞やＢＢ、ＲＢ入賞などが得られると、該遊技結果に応じて所定枚数のメダルが、メダル払出口１５から払い出されるように構成されている。
【００２８】
遊技機１の全体を形成しているキャビネット２は、ケーシング２ａと、ケーシング２ａに対してヒンジ（不図示）等により開閉自在に取り付けられ、キャビネット２の前面を形成する前面扉２ｂとを含んで構成されている。ケーシング２ａは、略直方体で１つの面に開口が形成されており、前面扉２ｂの開閉により該開口を開放または閉鎖状態とすることが可能なように構成されている。また、前面扉２ｂもケーシング２ａと同様に略直方体で１つの面に開口が形成されている。前面扉２ｂの遊技機１に向かって手前側の面、すなわち、遊技者が遊技を行う際に対向する面は、上述した各種ボタンやパネル表示部５ａ、スタートレバー６、各リール停止ボタン７Ｌ、７Ｃ、７Ｒ、メダル受け皿１６等が配された遊技盤面を構成している。なお、以下の説明では、特に断りのない限り、「遊技盤面」側の面を単に「前面」という。
【００２９】
前面扉２ｂの上方の左右には、遊技に伴う演出音を発するスピーカ４０Ｌ、４０Ｒが設けられ、各スピーカ４０Ｌ、４０Ｒの前面側には、それぞれ後述するスピーカカバー３０Ｌ、３０Ｒが取り付けられている。スピーカ４０Ｌ、４０Ｒの間には遊技の入賞役の構成及び払出し枚数等の遊技情報を表示する配当表部パネル２１が設けられている。
【００３０】
ケーシング２ａと前面扉２ｂとは、閉鎖状態で、ケーシング２ａと前面扉２ｂの開口が互いに対面するように取り付けられることで、キャビネット２内部に、スピーカ４０Ｌ、４０Ｒ、後述する遊技者に対する利益付与率を複数段階に設定可能な設定スイッチ６０（図２参照）その他遊技機１に組み付けられる各種の部品を収納するように構成されている。
【００３１】
図２は、本発明の実施の形態に係る遊技機１の右側のスピーカ４０Ｒ近傍の部分分解斜視図である。本図を参照して、スピーカ４０Ｒ近傍の具体的な構成について説明する。なお、右側のスピーカ４０Ｒ近傍の構成と左側のスピーカ４０Ｌ近傍の構成とは、ほぼ同様（左右対称形）であるので、左側のスピーカ４０Ｌ近傍の構成の説明は省略する。ただし、左側のスピーカ４０Ｌ近傍の構成は、遊技盤面と対向する面（以下の説明では、特に断りのない限り、単に「背面」という。）側に設定スイッチ６０が配設されていない点で、右側のスピーカ４０Ｒ近傍の構成とは異なる。
【００３２】
スピーカ４０Ｒは、電気信号エネルギーを音響エネルギーに変換して、遊技に伴う演出音を発するように構成されている。スピーカ４０Ｒは、コーン紙からなる放音部４１と、略四角板状に形成された取付ベース４６とを含んで構成されている。コーン紙は、底面が開口した略円錐形状に形成された振動板として機能し、スピーカ４０Ｒは、当該放音部４１の円錐形の底面を前面に向けて、前面扉２ｂに形成されるスピーカ設置部７０に取り付けられる。
【００３３】
スピーカ設置部７０は、前面扉２ｂの前面側を略台形状に面落ちさせることで形成されており、スピーカ設置部７０の略中央には、略円形状の開口であるスピーカ設置孔７１が形成されている。スピーカ４０Ｒは、放音部４１がキャビネット２の内部と外部とを隔てるようにスピーカ設置孔７１に取り付けられている。すなわち、スピーカ４０Ｒは、放音部４１がスピーカ設置孔７１から露出するように設置されている。したがって、放音部４１は、略円錐形状の開口側がスピーカ設置孔７１を介してキャビネット２の外部に面し、略円錐形状の頂点側がキャビネット２の内部に面している。また、スピーカ４０Ｒは、取付ベース４６の四隅に形成されているビス穴４２、４３、４４、４５を介して、背面側から前面扉２ｂにビス止めされる。すなわち、スピーカ４０Ｒは、キャビネット２内に設置され、前面扉２ｂを開いて内側からビスを取り外さなければ前面扉２ｂから取り外すことができない構成となっている。
【００３４】
スピーカ設置部７０には、鉛直方向下縁に放音部４１を覆うスピーカカバー３０Ｒを取り付けるための係合孔７４、７５、鉛直方向上縁に引掛孔７２、７３が形成されている。また、スピーカ設置部７０の係合孔７４、７５の下縁には、背面側に突出するように板状にフック７４ａ、７５ｂが形成されている。
【００３５】
スピーカカバー３０Ｒは、スピーカ設置部７０の前面側、キャビネット２の外部に設けられ、放音部４１を覆うように形成されており、スピーカ設置部７０と同様に略台形状であり、かつ、スピーカ設置部７０にはまり込むようにスピーカ設置部７０よりも若干小さく形成されている。したがって、本実施の形態では、スピーカカバー３０Ｒは、放音部４１が位置するスピーカ設置孔７１だけでなくスピーカ設置部７０全体をも覆うように形成されている。
【００３６】
さらに、スピーカカバー３０Ｒには、鉛直方向下縁に弾性を有する係合部３４、３５、鉛直方向上縁に引掛突起３２、３３が形成されている。スピーカカバー３０Ｒは、引掛突起３２を引掛孔７２に、引掛突起３３を引掛孔７３に挿入させてから、係合部３４を係合孔７４に、係合部３５を係合孔７５に挿入、それぞれフック７４ａ、７５ｂと係合させることで前面扉２ｂに取り付けられる。なお、スピーカカバー３０Ｒ、弾性を有する係合部３４、３５等については図３で詳細に説明する。
【００３７】
係合孔７４、７５は、スピーカカバー３０Ｒが取り付けられていないときにはキャビネット２の外部と内部とを連通させる孔となり、スピーカカバー３０Ｒが取り付けられているときには、係合部３４、３５によって塞がれることとなる。引掛孔７２、７３も同様に、スピーカカバー３０Ｒが取り付けられているときには、引掛突起３２、３３によって塞がれることとなる。
【００３８】
スピーカ４０Ｒの背面側には、放音部４１を含むスピーカ４０Ｒを背面側から覆い、キャビネット２の外部と内部とを遮断するようにキャビネット２の内部に設けられたスピーカ収納部としてのエンクロージャ５０が設けられている。
【００３９】
エンクロージャ５０は、１つの面が開口した中空の箱形に形成されている。エンクロージャ５０は、開口した面５８の縁部の略四隅に形成されているビス穴５２、５３、５４、５５を介して、背面側から前面扉２ｂにビス止めされる。さらに、エンクロージャ５０には、開口した面５８の一辺の縁部の両端に、上述した係合部３４と係合孔７４、係合部３５と係合孔７５の係合の解除を規制する規制部としての規制突起５６、５７が形成されている。なお、エンクロージャ５０、規制突起５６、５７等については図４で詳細に説明する。
【００４０】
エンクロージャ５０の近傍、本実施の形態では背面側には、遊技者に対する利益付与率を複数段階に設定可能な設定スイッチ６０を収納した設定スイッチ収納ケース６１がケーシング２ａの内側に取り付けられている。設定スイッチ収納ケース６１の前面側から向かって左側には、遊技機１の各部や遊技機１で行われる遊技を電気的に制御するための電子部品が実装された電子回路基板である主基板（不図示）を収納した基板収納ケース１００が取り付けられている。
【００４１】
ここで、本実施の形態では、設定スイッチ６０によって複数段階に設定可能な利益付与率は、上述した「ＢＢ」、「ＲＢ」、その他の所定の役等が内部当選される確率に関連づけられた、遊技者が遊技で獲得することができるメダルの付与率のことである。利益付与率は、６段階に設定可能に構成されており、例えば、利益付与率を高く設定することにより、「ＢＢ」や「ＲＢ」が入賞する確率が高まり、遊技者がより多くの遊技メダルを獲得する可能性が高まる。一方、利益付与率を低く設定することにより、「ＢＢ」や「ＲＢ」が入賞する確率が低くなり、遊技者が獲得することができる遊技メダルの数が比較的少なくなる。
【００４２】
設定スイッチ６０と主基板（不図示）とは配線（不図示）によって接続されており、設定スイッチ６０によって設定される利益付与率は、当該配線を介して主基板に信号として送信され、主基板は受信した信号に基づいて、実際に内部当選役の抽選確率等を制御し、遊技機１で行われる遊技を制御する。
【００４３】
設定スイッチ６０を収納した設定スイッチ収納ケース６１は、基板収納ケース１００の右端側に延設されたベース部（不図示）に対して上下方向に回動可能に軸着されており、上方に向かって回動すると閉状態となり、下方に向かって回動すると開状態となる。
【００４４】
設定スイッチ収納ケース６１の前面側には、設定スイッチ６０の前面側に形成された鍵穴６２を露出させる第１の操作開口部６３と、設定スイッチ収納ケース６１を施錠する施錠装置６４の鍵穴６５を露出させる第２の操作開口部６６とが形成されている。設定スイッチ６０は、鍵（不図示）を用いて鍵穴６２を回転させることで、所望の利益付与率に設定することができる。施錠装置６４は、鍵（不図示）を用いて鍵穴６５を回転させることで、設定スイッチ収納ケース６１の開閉を制御するように構成されている。
【００４５】
さらに、設定スイッチ収納ケース６１の前面外側には、第１の操作開口部６３を覆って閉鎖するためのカバー部材６７が回動可能に取り付けられている。カバー部材６７は、例えば、透明な合成樹脂製板材により形成されており、常には、第１の操作開口部６３を覆って設定スイッチ６０の鍵穴６２に鍵等を差し込めないようにして、設定スイッチ６０の不正な操作を防止するように構成されている。
【００４６】
図３は、本発明の実施の形態に係る遊技機１の右側のスピーカカバー３０Ｒを示す図であり、（ａ）は正面図、（ｂ）は側面図、（ｃ）は斜視図である。スピーカカバー３０Ｒは、放音部４１（図２参照）を保護するものであり、上述したように、スピーカ設置部７０にはまり込むように略台形状に形成されている。
【００４７】
具体的には、スピーカカバー３０Ｒは、略台形状に形成されたカバー本体３７と、カバー本体３７の縁部に沿って形成される突縁３６を含んで構成されている。また、スピーカカバー３０Ｒは、弾性に富んだ材質、本実施の形態ではポリプロピレンによって形成されている。
【００４８】
カバー本体３７には、複数の孔３８が形成されており、スピーカ４０Ｒ（図２参照）から発せられる音は、当該複数の孔３８を通過して放音される。カバー本体３７の背面側には、弾性に富んだ材質で形成され、かつ、複数の孔３８が形成されることで構造的に弱くなりがちなカバー本体３７の補強材としてハニカム状のリブ３９が形成されている。
【００４９】
略台形状の一辺の突縁３６には、上述したように、それぞれスピーカ設置部７０の引掛孔７２、７３（図２参照）と対応する位置に引掛突起３２、３３が形成されている。引掛突起３２、３３は、引掛孔７２、７３に挿入されることで、引掛突起３２、３３が引掛孔７２、７３に引っ掛かるように略長方形小片状に、突縁３６に対して略垂直に形成されている。
【００５０】
略台形状の引掛突起３２、３３が形成されている辺に対向する辺の突縁３６には、上述したように、それぞれスピーカ設置部７０の係合孔７４、７５（図２参照）と対応する位置に係合部３４、３５が形成されている。係合部３４、３５は、突縁３６の縁部に背面側に突出するように形成されており、先端がカバー本体３７とは反対側に略Ｌ型に折れ曲がって形成されている。
【００５１】
スピーカカバー３０Ｒは、弾性を利用したスナップアクションにより、係合部３４、３５の略Ｌ型の先端が、それぞれフック７４ａ、７５ｂと当接して係合孔７４、７５（図２参照）に係合されることで、前面扉２ｂ（図２参照）に取り付けられる。
【００５２】
図４は、本発明の実施の形態に係る遊技機１の右側のエンクロージャ５０を示す図であり、（ａ）は斜視図、（ｂ）は開口した面５８と対向する面の正面図である。エンクロージャ５０は、透明なＡＢＳ（アクリロニトリル  フ゛タシ゛エン スチレン）樹脂等により、中空の箱形に形成されており、本実施の形態では、中空部分の容積は約７９６ｃｃ程度となっている。なお、この容積は、設置スペースの制約を受けなければ、放音部４１（図２参照）の大きさやスピーカ４０Ｒ（図２参照）の出力に応じて適宜設定される。エンクロージャ５０は、上述したように、開口した面５８の縁部の略四隅に形成されているビス穴５２、５３、５４、５５を介して前面扉２ｂにビス止めされることで、前面扉２ｂの背面側に固定される。すなわち、エンクロージャ５０は、スピーカ４０Ｒ（図２参照）と同様に、キャビネット２（図２参照）内に内蔵され、前面扉２ｂ（図２参照）を開いて内側からビスを取り外さなければ前面扉２ｂから取り外すことができない構成となっている。スピーカ４０Ｒの放音部４１（図２参照）の後方（背面側）はエンクロージャ５０によって密閉される。
【００５３】
放音部４１（図２参照）から発せられる音波は、振動によって発せられるため、放音部４１の前方のみばかりでなく、後方へも発せられて伝播する。後方に発せられた音波と、前方に発せられた音波とは位相が全く逆であるため、両者が干渉すると互いに打ち消し合ってしまうが、放音部４１の後方はエンクロージャ５０によって密閉されているため、後方に発せられた音波はエンクロージャ５０に閉じこめられ、その中空部分を回折し続けて減衰してゆく。このため、放音部４１の後方へ発せられた音波が、放音部４１の前方に発せられた音波と干渉することはない。つまり、エンクロージャ５０は、密閉型のスピーカボックスとして機能する。
【００５４】
さらに、エンクロージャ５０には、上述したように、規制突起５６、５７が形成されている。規制突起５６、５７は、エンクロージャ５０の一部としてエンクロージャ５０と一体に形成される。規制突起５６、５７は、開口した面５８の一辺の縁部の両端に、略立方体形状に形成されており、本実施の形態では、規制突起５６がビス穴５４の近傍に、規制突起５７がビス穴５５近傍に形成されている、さらに、具体的には、前面扉２ｂ（図２参照）にスピーカカバー３０Ｒ（図３参照）が前面側から、エンクロージャ５０が背面側から取り付けられている状態で、規制突起５６がスピーカカバー３０Ｒの係合部３４（図３参照）に、規制突起５７が係合部３５（図３参照）に当接する位置に位置決めされている。
【００５５】
図５は、本発明の実施の形態に係る遊技機１の右側のスピーカカバー３０Ｒ、エンクロージャ５０が前面扉２ｂに取り付けられた状態を示す図であり、（ａ）は背面側から視た正面図、（ｂ）は規制突起５６近傍の部分断面斜視図、（ｃ）は係合孔７５、係合部３５の部分斜視図である。
【００５６】
スピーカカバー３０Ｒは、上述したように、係合部３４がフック７４ａと当接して係合孔７４に、係合部３５がフック７５ａと当接して係合孔７５に係合されるされることで前面扉２ｂの前面側に取り付けられる。エンクロージャ５０は、スピーカカバー３０Ｒが前面扉２ｂに取り付けられている状態で、前面扉２ｂの背面側に取り付けられる。
【００５７】
エンクロージャ５０が前面扉２ｂの背面側に取り付けられた状態で、規制突起５６は、フック７４ａの反対側の面で係合部３４に当接するように形成されている。同様に、規制突起５７は、フック７５ａの反対側の面で係合部３５に当接するように形成されている。すなわち、規制突起５６とフック７４ａとが係合部３４を、規制突起５７とフック７５ａとが係合部３５を挟持する。
【００５８】
規制突起５６とフック７４ａとが係合部３４を、規制突起５７とフック７５ａとが係合部３５を挟持することで、係合部３４、係合部３５の弾性変形を規制し、係合部３４、係合部３５の係合が解除されることを防止し、スピーカカバー３０Ｒが前面扉２ｂから取り外されることを防止する。
【００５９】
なお、スピーカカバー３０Ｒ、エンクロージャ５０の取り付ける順番は、まず、スピーカカバー３０Ｒを前面側から前面扉２ｂに取り付けた後に、エンクロージャ５０を取り付ける。取り外す場合はこの逆である。つまり、スピーカカバー３０Ｒは、エンクロージャ５０を取り外さなければ、前面扉２ｂから取り外すことはできない構成となっている。
【００６０】
以上で説明した遊技機１によれば、規制突起５６、５７は、係合部３４、３５の弾性を利用した係合の解除を規制するので、例えば、前面側からスピーカカバー３０Ｒとスピーカ設置部７０との隙間に、ドライバ等の工具をねじ込み、強引にスピーカカバー３０Ｒが取り外されることを防止することができる。
【００６１】
これにより、スピーカカバー３０Ｒがキャビネット２から取り外されることで、係合孔７４、７５がキャビネット２外部と内部とを連通させることを防止することができる。従って、当該係合孔７４、７５から針金等を侵入させ、遊技機を設置している遊技場の係員に無断で、設定スイッチ６０の鍵穴６２を回転させて遊技者にとって有利な利益付与率に設定する不正行為を防止することのできる遊技機とすることができ、不正行為に対するセキュリティの向上となる。
【００６２】
また、以上で説明した遊技機１によれば、規制突起５６、５７は、エンクロージャ５０の一部として一体に構成されるので、遊技機１を構成する部品数を最小限にすることができ、組立が単純で合理的な構成とすることができる。さらに、スピーカ４０Ｒは、エンクロージャ５０によって覆われているため、キャビネット２内部で露出しない。したがって、部品が落下したりメダルが飛来しても、スピーカ４０Ｒは電気ショートを起こしたり放音部４１（図２参照）のコーン紙が損傷することはない。また、コーン紙等がピンや針金で破られてスピーカ設置孔７１を介してキャビネット２外部から侵入した場合でも、侵入物は、エンクロージャ５０の内側の空間内に留められ、エンクロージャ５０を越えてキャビネット２内部に侵入することはない。したがって、不正行為を防止することができる。
【００６３】
さらに、スピーカ４０Ｒの後方に箱形の空間が生まれ、スピーカの後方に発生する音波はエンクロージャ５０に閉じ込められ、この空間を回折しながら減衰し、スピーカの後方に発生する音波はエンクロージャによって完全に遮断されので、出音される音の音質が向上する。
【００６４】
また、一対のスピーカ４０Ｌ、４０Ｒから出音される音を、キャビネット２内部で干渉させることなく位相を分離させることができる。このため、立体的に録音された音源を再生して立体的な音場を再現することが可能になる。例えば、人間の頭蓋骨を模した構造体の両耳の位置に録音マイクを設置して行うバイノーラル録音によって録音された音を、左右の耳に対応する左右の各スピーカ４０Ｌ、４０Ｒから再生することにより、例えば、直ぐ傍で誰かに話しかけられているように聞こえたり、あたかも頭のまわりで鳥がさえずっているかのように聞こえたりする立体的な音場の再現が可能となる。この結果、演出の幅が広がり、スロットマシン遊技の興趣は増す。
【００６５】
また、以上で説明した遊技機１によれば、スピーカカバー３０Ｒは、規制突起５６、５７が形成されたエンクロージャ５０を取り外さなければ、前面扉２ｂから取り外すことができず、さらに、エンクロージャ５０、スピーカ４０Ｒは、キャビネット２内に内蔵され、前面扉２ｂを開いて内側からビスを取り外さなければ前面扉２ｂから取り外すことができないので、セキュリティはより一層高まる。
【００６６】
なお、本発明の実施の形態である遊技機１は、上述した実施の形態に限定されず、特許請求の範囲に記載された範囲で種々の変更が可能である。以上の説明では、不正が行われる対象として、遊技者に対する利益付与率を複数段階に設定可能な設定スイッチ６０を説明したが、主基板やその他の各機構に対して、係合孔７４、７５を介して行われうる不正をも防止することができる。
【００６７】
以上の説明では、規制突起５６、５７は、エンクロージャ５０と一体に形成されるものとして説明したが、エンクロージャ５０と別体に形成してもよい。このように構成すると、エンクロージャ５０が配設される位置に拘わらず、任意の位置に規制突起５６、５７を配設することができる。
【００６８】
以上の説明では、規制突起５６、５７は、略立方体形状に形成されるものとして説明したが、丸みを帯びた形状や略球体形状に形成されてもよい。また、規制突起５６、５７は、エンクロージャ５０に２つ形成されるものとして説明したが、これに限らず、いくつ設けてもよいが、好適にはスピーカカバー３０Ｒの係合部の数と同じ数が形成されているとよい。
【００６９】
以上の説明では、エンクロージャ５０を透明なＡＢＳ樹脂で形成しているが、他の材質によって形成してもよい。例えば、ＰＰ（ポリプロピレン）等の合成樹脂にカルシウムを中心に様々な無機或いは有機物質を複合化することにより機能強化を図ったカルプ（カルシウム・イン・プラスチック）材等によって形成してもよい。このようなＰＰのカルプ材等の堅い材質、或いは堅くて比重の重い材質でエンクロージャを形成すれば、余計な振動が極力抑えられて音質はより一層向上される。
【００７０】
なお、本発明に係る遊技機は、上述した実施形態のパチスロ遊技機に限定されるものではなく、パチンコ遊技機、ビデオスロット遊技機等の遊技媒体を用いて遊技する他の遊技機にも適用することができる。
【図面の簡単な説明】
【００７１】
【図１】本発明の実施の形態に係る遊技機の外観を示す正面斜視図である。
【図２】本発明の実施の形態に係る遊技機の右側のスピーカ近傍の部分分解斜視図である。
【図３】本発明の実施の形態に係る遊技機の右側のスピーカカバーを示す図であり、（ａ）は正面図、（ｂ）は側面図、（ｃ）は斜視図である。
【図４】本発明の実施の形態に係る遊技機の右側のエンクロージャを示す図であり、（ａ）は斜視図、（ｂ）は開口した面と対向する面の正面図である。
【図５】本発明の実施の形態に係る遊技機の右側のスピーカカバー、エンクロージャが前面扉に取り付けられた状態を示す図であり、（ａ）は背面側から視た正面図、（ｂ）は規制突起近傍の部分断面斜視図、（ｃ）は係合孔、係合部の部分斜視図である。
【符号の説明】
【００７２】
１    遊技機
２    キャビネット
２ａ    ケーシング
２ｂ    前面扉
３０Ｌ、３０Ｒ    スピーカカバー
３２、３３    引掛突起
３４、３５    係合部
３７    カバー本体
４０Ｌ、４０Ｒ    スピーカ
４１    放音部
５０    エンクロージャ
５６、５７    規制突起
６０    設定スイッチ
７０    スピーカ設置部
７１    スピーカ設置孔
７２、７３    引掛孔
７４、７５    係合孔
７４ａ、７５ａ    フック
１００    基板収納ケース
【図１】
2005253621.tif 000003
【図２】
2005253621.tif 000004
【図３】
2005253621.tif 000005
【図４】
2005253621.tif 000006
【図５】
2005253621.tif 000007